(57)【要約】【課題】省スペース化および小型化が可能となり、しかも組立性能およびコネクタ挿入性能も向上した光ローゼットを提供する。【解決手段】光接続用アダプタを用いた光ケーブル用コネクタ同士の中継接続と同時に該接続点を保護するための光ローゼットにおいて、ローゼット本体１を形成するベース板２の上面略中央に、二つの光コネクタ相互Ｐ１、Ｐ２を接続するためのトンネル状のコネクタハウジング５を一体形成する。ベース板２には、下面から割りスリーブ９、スリーブホルダー１０、板バネ付きシャッター板１１を挿入してコネクタハウジング５内にセットするための開口部２４を有し、各部材セット後には開口部２４が閉蓋可能となるよう下蓋２５を備える。また、ローゼット本体１のベース板２に対し、ワンタッチ着脱方式の加入者側カバー３と、工具使用で取り外し可能な嵌合方式の局側カバー４とを備える。【選択図】図７
2008233466.tif 000002
【特許請求の範囲】
【請求項１】
光接続用アダプタを用いた光ケーブル用コネクタ同士の中継接続と同時に該接続点を保護するための光ローゼットにおいて、ローゼット本体を形成するベース板の上面略中央に、二つの光コネクタ相互を接続するためのトンネル状のコネクタハウジングが一体形成されてなることを特徴とする光ローゼット。
【請求項２】
ベース板には、割りスリーブ、スリーブホルダー、板バネ付きシャッター板の各部材を挿入してコネクタハウジング内にセットするための開口部を有し、各部材セット後には開口部が閉蓋されるよう当該開口部に下蓋を備えた請求項１記載の光ローゼット。
【請求項３】
ローゼット本体のベース板におけるコネクタハウジングの形成側に対し、ワンタッチ着脱方式の加入者側カバーと、容易には外せない嵌合方式の局側カバーとを備えた請求項１または２記載の光ローゼット。
【請求項４】
加入者側カバーと局側カバーとに係合手段を有し、光コネクタが光接続用アダプタのコネクタハウジングに不完全接続している位置では前記係合手段の係合が阻止されるよう加入者側カバーの内側に光コネクタ後部に係止される突起を備えた請求項１乃至３のいずれか記載の光ローゼット。
【請求項５】
前記板バネ付きシャッター板は、コネクタハウジングの光コネクタの嵌合部に、斜め配置で前記嵌合部を閉鎖するシャッター板と、このシャッター板を閉鎖方向へ付勢する板バネとを備え、前記コネクタハウジングの嵌合部に光コネクタを嵌合させることによって前記シャッター板を板バネの押圧力に抗して開放させるようにしてなる請求項１乃至４のいずれか記載の光ローゼット。
【請求項６】
局側カバーは、配線用保護部材を使用可能としてなる請求項１乃至５のいずれか記載の光ローゼット。
【発明の詳細な説明】
【技術分野】
【０００１】
本発明は、加入者側のコネクタと局側のＳＣコネクタとの二つの光ファイバ同士を光学的に接続するための光ローゼットに関する。
【背景技術】
【０００２】
従来の光ローゼットは、ローゼット本体と、加入者側のコネクタ、局側のＳＣコネクタそれぞれを光学的に接続するための光接続用アダプタとが別個に構成されており、当該光接続用アダプタはローゼット本体に固定部材を介して嵌合固定されるようになっている。
【特許文献１】特になし
【発明の開示】
【発明が解決しようとする課題】
【０００３】
したがって、従来においては、光ローゼットの組立に手間と時間を要し、しかもコネクタ挿入性能も劣り、且つ固定部材の使用によってローゼット本体が大型なものとなってしまうという問題点を有していた。
【０００４】
そこで、本発明は、叙上のような従来存した諸事情に鑑み案出されたもので、ローゼット本体の省スペース化および小型化が可能となり、しかも組立性能およびコネクタ挿入性能も向上した光ローゼットを提供することを目的とする。
【課題を解決するための手段】
【０００５】
上述した課題を解決するため、本発明にあっては、光接続用アダプタを用いた光ケーブル用コネクタ同士の中継接続と同時に該接続点を保護するための光ローゼットにおいて、ローゼット本体を形成するベース板の上面略中央に、二つの光コネクタ相互を接続するためのトンネル状のコネクタハウジングが一体形成されてなることを特徴とする。
【０００６】
ベース板には、割りスリーブ、スリーブホルダー、板バネ付きシャッター板の各部材を挿入してコネクタハウジング内にセットするための開口部を有し、各部材セット後には開口部が閉蓋されるよう当該開口部に下蓋を備えている。
【０００７】
ローゼット本体のベース板におけるコネクタハウジングの形成側に対し、ワンタッチ着脱方式の加入者側カバーと、容易には外せない嵌合方式の局側カバーとを備えている。
【０００８】
加入者側カバーと局側カバーとに係合手段を有し、光コネクタが光接続用アダプタのコネクタハウジングに不完全接続している位置では前記係合手段の係合が阻止されるよう加入者側カバーの内側に光コネクタ後部に係止される突起を備えている。
【０００９】
前記板バネ付きシャッター板は、コネクタハウジングの光コネクタの嵌合部に、斜め配置で前記嵌合部を閉鎖するシャッター板と、このシャッター板を閉鎖方向へ付勢する板バネとを備え、前記コネクタハウジングの嵌合部に光コネクタを嵌合させることによって前記シャッター板を板バネの押圧力に抗して開放させるようにして構成されている。
【００１０】
局側カバーは、配線用保護部材を使用可能として構成されている。
【発明の効果】
【００１１】
本発明によれば、ローゼット本体を形成するベース板の上面略中央に、二つの光コネクタ相互を接続するためのトンネル状のコネクタハウジングが一体形成されてなるので、ローゼット本体の省スペース化および小型化が可能となり、しかも組立性能およびコネクタ挿入性能も向上する。
【００１２】
ベース板には、割りスリーブ、スリーブホルダー、板バネ付きシャッター板の各部材を挿入してコネクタハウジング内にセットするための開口部を有し、各部材セット後には開口部が閉蓋されるよう当該開口部に下蓋を備えているので、各部材のコネクタハウジング内へのセッティングが容易となり、しかもこの下蓋を開放自在に形成することで各部材の保守点検や修理交換等の際においても、これら各部材の分解が容易なものとなる。
【００１３】
ローゼット本体のベース板におけるコネクタハウジングの形成側に対し、ワンタッチ着脱方式の加入者側カバーと、容易には外せない嵌合方式の局側カバーとを備えているので、挿抜頻度の高いコネクタを保護する加入者側カバーを容易に取り外すことができると共に、挿抜頻度の低い局側のＳＣコネクタを保護する局側カバーは簡単に取り外せないようにしっかりと固定しておくことができる。
【００１４】
加入者側カバーと局側カバーとに係合手段を有し、光コネクタが光接続用アダプタのコネクタハウジングに不完全接続している位置では前記係合手段の係合が阻止されるよう加入者側カバーの内側に光コネクタ後部に係止される突起を備えているので、コネクタハウジングに対する光コネクタの不完全接続状態のままで加入者側カバーで覆設されてしまうのを未然に防止することができる。
【００１５】
前記板バネ付きシャッター板は、コネクタハウジングの光コネクタの嵌合部に、斜め配置で前記嵌合部を閉鎖するシャッター板と、このシャッター板を閉鎖方向へ付勢する板バネとを備え、前記コネクタハウジングの嵌合部に光コネクタを嵌合させることによって前記シャッター板を板バネの押圧力に抗して開放させるようにして構成されているので、光接続用アダプタの省スペース化が可能となり、しかも組立性能も向上する。特に、既存製品におけるコイルバネと回転軸とで同様の機能を得る方式と比較して、部品点数の減少と組立性能の向上が図れると同時に、嵌合端内側への異物の侵入およびこれによる接続不良等を無くすことができる。また、シャッター板は斜め配置となって前記嵌合部を閉鎖するため、挿入する光コネクタのフェルールコア部分のシャッター板面への当たりを回避でき、これにより、光コネクタ端面が汚れて性能を低下させることを未然に防止することができる。
【００１６】
局側カバーは、配線用保護部材を使用可能として構成されているので、配線状態の外観上の見栄えを良くすることができる。
【発明を実施するための最良の形態】
【００１７】
以下、図面を参照して本発明を実施するための最良の一形態を説明する。
本発明に係る光ローゼットは、光ケーブル用の光コネクタ同士、例えば加入者側のコネクタＰ１と局側のＳＣコネクタＰ２との二つの光ファイバ同士の中継接続と同時に該接続点を保護するために使用されるものであって、図３および図４に示すように、ローゼット本体１のベース板２に対し、ワンタッチ着脱方式の加入者側カバー３と、容易には外せない、例えばドライバー等の工具Ｇ使用で取り外し可能な嵌合方式の局側カバー４とを備えてなる。
【００１８】
このとき、ベース板２には、両端にネジ孔２ａを設けるか、あるいはベース板２裏面全体に両面粘着テープの片面が貼着され、局側のＳＣコネクタＰ２が導入配置されている室内の壁面に、ネジ孔２ａを介して不図示のネジで固定するか、もしくは事前に貼られた両面粘着テープの他の粘着面を圧着させて固定される。
【００１９】
嵌合方式の局側カバー４としては、図５に示すように、当該局側カバー４を断面略コ字形のトンネル状に形成し、矩形帯板状のベース板２における局側のＳＣコネクタＰ２が挿入配置される部位全体を覆うように上方側から嵌合される。すなわち、図６に示すように、局側カバー４の下側開口端部には互いに内側に向けて嵌合突起４ａが形成され、これに対応して、後述するベース板２と一体となったコネクタハウジング５の両側面に形成されている縦溝の下縁に嵌合凹部５ａが形成され、この嵌合凹部５ａに嵌合突起４ａが嵌合することでベース板２に局側カバー４がしっかりと固定される。そして、ベース板２から局側カバー４を取り外す場合には、局側カバー４の一端に設けられたマイナス状の溝部６に、マイナスドライバー等の工具Ｇを挿入してこじ開ける。
【００２０】
また、ワンタッチ着脱方式の加入者側カバー３としては、図３乃至図８に示すように、加入者側カバー３を一端が開放された断面略コ字形の箱枠状に形成し、係合手段として、例えば突起状の係止爪７を加入者側カバー３の開放端上面中央に備える。そして、矩形帯板状のベース板２における加入者側のコネクタＰ１が挿入配置される部位全体を覆うように下方に落とし込んでから前方の局側カバー４の開放端に向けてスライドし、当該局側カバー４の開放端上側中央に凹設した係合手段としての爪掛凹部８に前記突起状の係止爪７が嵌合される。このとき、ベース板２から加入者側カバー３を取り外す場合には、加入者側カバー３の開口端上側を若干下方に押して爪掛凹部８から係止爪７を離反させておいてから加入者側カバー３を後方に向けてスライドすれば工具Ｇ無しでもって簡単に開けられる。
【００２１】
また、図１乃至図４に示すように、ローゼット本体１のベース板２の上面略中央には、二つの光コネクタＰ１、Ｐ２相互を接続するためのトンネル状のコネクタハウジング５が一体形成されている。すなわち、このコネクタハウジング５は、二つの光コネクタＰ１、Ｐ２相互を接続できるように、合成樹脂の成型品でなる断面略コ字形のトンネル状のコネクタハウジング５がベース板２の上面略中央に一体となって突設され、このコネクタハウジング５の両端には、光学軸が一致するように加入者側のコネクタＰ１の嵌合部Ａと、局側のＳＣコネクタＰ２の嵌合部Ｂとをそれぞれ備えている。
【００２２】
さらに、トンネル状のコネクタハウジング５は、図１、図２および図７に示すように、上側壁、左右の側壁とがベース板２と一体に形成されて両端開口の角筒状となっており、この中央には略コ字枠状となった左右一対の接合端壁部材２７が配置され、一方の嵌合部Ａにおける嵌合端は斜め上方向に向けて開口している。また、他方の嵌合部Ｂにおける接続端は水平方向に開口している。
【００２３】
また、図２に示すように、ベース板２の略中央には、下面から後述する割りスリーブ９、スリーブホルダー１０、板バネ付きシャッター板１１の各部材を挿入してコネクタハウジング５内に収容するための開口部２４が形成されており、各部材９、１０、１１が収容された後には開口部２４が閉蓋されるよう当該開口部２４に、例えばネジ止めもしくはパッチン止めあるいは接着等によって固定される下蓋２５を備えている。
【００２４】
また、図７に示すように、一方の嵌合部Ａにおける上側壁の内側中央には光軸方向に沿って直線溝条となった係止溝部１２を形成し、後述するシャッター板１１が斜め配置となって嵌合部Ａの嵌合端を閉鎖した際には、シャッター板１１上端の中央に突設した係止突部１３を当該係止溝部１２に係止させるようにしてある。他方の嵌合部Ｂにおける上側壁には接続端から内側に向けてガイド溝１４が形成されている。
【００２５】
また、コネクタハウジング５の中央部に配される左右一対の接合端壁部材２７の一方には、一方の円筒１０ａが嵌合端に向かって突設してあると共に、他方の接合端壁部材２７には、他方の円筒１０ｂが接続端に向かって形成してあり、両円筒１０ａ、１０ｂが光学軸上で中心軸を一致させて接合端壁部材２７同士を嵌合爪を介して係合固定することによってスリーブホルダー１０が形成される。
【００２６】
このスリーブホルダー１０のコネクタハウジング５内への組み付けに際し、図１に示すように、スリーブホルダー１０内側に円筒状の割りスリーブ９が装着された状態でそれぞれの接合端壁部材２７相互が接合され、前記した下蓋２５の上面中央に形成された嵌合溝２６にそれぞれの接合端壁部材２７が嵌合保持されてから当該下蓋２５がベース板２の開口部２４に装着固定される。また、両接合端壁部材２７の左右対称位置には、両光コネクタＰ１、Ｐ２に対するラッチ片が、夫々の円筒１０ａ、１０ｂと側壁の間に沿って形成してある。
【００２７】
さらに、図１および図７に示すように、一方の嵌合部Ａにおける斜め開口となっている嵌合端には、当該嵌合端と同じ斜め配置で当該嵌合端を閉鎖するためのシャッター板１１が内側で開閉可能となるように設けられている。すなわち、シャッター板１１は、その下端左右対称位置に支軸１５を一体突設し、該支軸１５の両端突出側を、嵌合端下部の左右対向位置において、左右の側壁から底壁に跨って形成された軸孔１６に回動可能に支承させてある。そして、シャッター板１１下端と支軸１５とが連設されている略中央には矩形状の開口部１７が形成されている。
【００２８】
このシャッター板１１のコネクタハウジング５内への組み付けに際し、図１に示すように、シャッター板１１の開口部１７を介して、略Ｌ字形状に折曲して形成された板バネ１８を支軸１５中央に外嵌合させ、板バネ１８の一端を、ベース板２の開口部２４に装着された下蓋２５に圧接させ、他端をシャッター板１１の内側面に圧接させることで当該シャッター板１１は閉鎖方向に付勢された状態とする。
【００２９】
このとき、シャッター板１１上端の中央に突設した係止突部１３を係止溝部１２に係止させるようにしている。また、開口部１７は、板バネ１８の弾性力によって常に閉止された状態となっている。さらに板バネ１８は、シャッター板１１をコネクタハウジング５の一方の嵌合部Ａにおける嵌合端内側に圧接させた際には、当該板バネ１８の一端は光軸上まで延設配置されるに足る長さを備えている。
【００３０】
こうして、コネクタハウジング５の一方の嵌合部Ａに加入者側のコネクタＰ１を嵌合させることによって、シャッター板１１を板バネ１８の押圧力に抗して開放させるのである。
尚、他方の嵌合部Ｂに対向してベース板２には左右一対のガイド片２２が立設され、他方の嵌合部Ｂ内へ局側のＳＣコネクタＰ２の挿入をガイドする。
【００３１】
また、シャッター板１１の外側面上方における左右対称位置には、突起部１９に傾斜ガイド２０を備えてなるガイド部材２１が付設され、コネクタハウジング５の一方の嵌合部Ａに嵌合する加入者側のコネクタＰ１をガイドすると共に、シャッター板１１を水平位置に保持するものとしている。
【００３２】
また、図８乃至図１０に示すように、加入者側カバー３の内側に加入者側のコネクタＰ１の後部Ｐ１−ａに係止される略コ字型状もしくはアーチ状の係止突起２３を備えており、加入者側のコネクタＰ１がコネクタハウジング５の一方の嵌合部Ａに半挿しされることで不完全接続状態となった場合には、係止突起２３が加入者側のコネクタＰ１の後部Ｐ１−ａに係止されてコネクタＰ１自体のスライドを阻止させ、これによって前記係合手段の係合が事前に防止されるようにしてある。
【００３３】
また、局側カバー４は、その後部に角筒状の連結カバーを介して例えばワイヤプロテクタ・モール、光ステップル等の配線用保護部材を使用可能としている。
【００３４】
次に、以上のように構成された最良の形態についての組立、使用、動作の一例について説明する。
ローゼット本体１の組立に際し、図３に示すように、加入者側カバー３の開口端上側を若干下方に押して爪掛凹部８から係止爪７を離反させておいてから加入者側カバー３を後方にスライドして開ける。一方、図４に示すように、局側カバー４の一端に設けられたマイナス状の溝部６に、マイナスドライバー等の工具Ｇを挿入してこじ開ける。
【００３５】
図１および図２に示すように、スリーブホルダー１０内側に円筒状の割りスリーブ９が装着された状態でそれぞれの接合端壁部材２７相互を接合し、下蓋２５の嵌合溝２６にそれぞれの接合端壁部材２７を嵌合保持させておく。また、シャッター板１１の開口部１７を介して板バネ１８を支軸１５中央に外嵌合させてからベース板２の開口部２４を介してコネクタハウジング５内に挿入する。そして、下蓋２５をベース板２の開口部２４に装着してスリーブホルダー１０をコネクタハウジング５内に収容する。このとき、板バネ１８の一端は、ベース板２の開口部２４に装着された下蓋２５に圧接させれ、他端はシャッター板１１の内側面に圧接させられる。
【００３６】
図１１（ａ）に示すように、加入者側のコネクタＰ１および局側のＳＣコネクタＰ２それぞれを相対峙させるようにしてベース板２上に載せ、図１１（ｂ）に示すように、両コネクタＰ１、Ｐ２を、コネクタハウジング５の一方の嵌合部Ａ、他方の嵌合部Ｂそれぞれに嵌め込む。
【００３７】
このとき、加入者側のコネクタＰ１は、図１１（ｂ）に示すように、一方の嵌合部ＡにコネクタＰ１を嵌合させる前では、シャッター板１１は、板バネ１８により、一方の嵌合部Ａにおける嵌合端を閉鎖している状態となっているが、図１１（ｃ）に示すように、コネクタＰ１によってシャッター板１１が押され、板バネ１８の弾発力に抗して嵌合端内側に当該シャッター板１１が傾倒する。
【００３８】
そして、コネクタＰ１を更に押し込むと、図１１（ｄ）に示すように、シャッター板１１は水平状態となり、その外側面上方に形成されているガイド部材２１の突起部１９における傾斜ガイド２０にコネクタＰ１はガイドされながら移動する。
【００３９】
コネクタＰ１が完全に押し込まれた際には、板バネ１８の弾発力によって、ガイド部材２１の突起部１９と、コネクタハウジング５の上側壁との間でコネクタＰ１がしっかりと挟持された状態となる。
【００４０】
而して、図１１（ｅ）および図１１（ｆ）に示すように、両コネクタＰ１、Ｐ２同士の接続が完了する。
【００４１】
そして、図１１（ｇ）および図１１（ｈ）に示すように、ベース板２に局側カバー４を上側から嵌め込み、局側のＳＣコネクタＰ２が挿入配置される部位全体を覆う。このとき、図６に示すように、局側カバー４の嵌合突起４ａが、ベース板２と一体となったコネクタハウジング５の縦溝の下縁にある嵌合凹部に嵌合することでベース板２に局側カバー４がしっかりと固定される。
【００４２】
次に、図１１（ｉ）および図１１（ｊ）に示すように、加入者側カバー３をベース板２上に落とし込んでから前方の局側カバー４の開放端に向けてスライドし、当該局側カバー４の開放端上側中央に凹設した爪掛凹部８に突起状の係止爪７を嵌合させることで、ベース板２における加入者側のコネクタＰ１が挿入配置される部位全体を覆う。
【００４３】
このとき、図１０に示すように、加入者側のコネクタＰ１がコネクタハウジング５の一方の嵌合部Ａに半挿しされることで不完全接続状態となった場合には、係止突起２３が加入者側のコネクタＰ１の後部Ｐ１−ａに係止されてコネクタＰ１自体のスライドを阻止させられるため、前記係合手段の係合が事前に防止される。
【００４４】
そして、必要に応じて局側カバー４には、その後部に角筒状の連結カバーを介して例えばワイヤプロテクタ・モール、光ステップル等の配線用保護部材が使用される。
【図面の簡単な説明】
【００４５】
【図１】本発明を実施するための最良の形態におけるローゼット本体のベース板から各部材と共に下蓋を取り外した状態を示す分解斜視図である。
【図２】同じくローゼット本体のベース板の開口部から各部材と共に下蓋を取り付ける状態を示す斜視図である。
【図３】同じくローゼット本体から加入者側カバーを取り外した状態を示す斜視図である。
【図４】同じく工具を使って局側カバーを取り外す状態を示すローゼット本体の斜視図である。
【図５】同じくローゼット本体のベース板に一体となっているコネクタハウジングに局側のＳＣコネクタを接続して局側カバーを取り付ける状態を示す斜視図である。
【図６】同じく嵌合方式による局側カバーの取付動作を示す物で、（ａ）はカバー挿入前の正面断面図、（ｂ）はカバー挿入中の正面断面図、（ｃ）はカバー挿入後の正面断面図である。
【図７】同じく拡大されたローゼット本体を示し、（ａ）は一対の光コネクター同士が挿入されていない中央縦断面図、（ｂ）は一対の光コネクター同士が挿入されて互いに接続された状態の中央縦断面図である。
【図８】同じくベース板への加入者側カバーの挿入過程を説明するもので、（ａ）は挿入前の状態の中央縦断面図、（ｂ）は挿入後に係合手段が正常に係合した状態の中央縦断面図、（ｃ）は挿入後に係合手段が正常に係合されていない状態の中央縦断面図である。
【図９】同じく加入者側カバーの挿入後に係合手段が正常に係合した状態を説明する拡大された一部切欠中央縦断面図である。
【図１０】同じく加入者側カバーの挿入後に係合手段が正常に係合していない状態を説明する拡大された一部切欠中央縦断面図である。
【図１１．１】（ａ）乃至（ｃ）はローゼット本体の組立過程を順次示した説明図である。
【図１１．２】（ｄ）乃至（ｆ）はローゼット本体の組立過程を順次示した説明図である。
【図１１．３】（ｇ）乃至（ｊ）はローゼット本体の組立過程を順次示した説明図である。
【符号の説明】
【００４６】
Ｐ１      加入者側のコネクタ（光コネクタ）
Ｐ１−ａ  後部
Ｐ２      局側のＳＣコネクタ（光コネクタ）
Ａ、Ｂ    嵌合部
Ｇ        工具
１        ローゼット本体
２        ベース板
２ａ      ネジ孔
３        加入者側カバー
４        局側カバー
４ａ      嵌合突起
５        コネクタハウジング
５ａ      嵌合凹部
６        溝部
７        係止爪（係合手段）
８        爪掛凹部（係合手段）
９        割りスリーブ
１０      スリーブホルダー
１０ａ    円筒
１０ｂ    円筒
１１      シャッター板
１２      係止溝部
１３      係止突部
１４      ガイド溝
１５      支軸
１６      軸孔
１７      開口部
１８      板バネ
１９      突起部
２０      傾斜ガイド
２１      ガイド部材
２２      ガイド片
２３      係止突起
２４      開口部
２５      下蓋
２６      嵌合溝
２７      接合端壁部材
【図１】
2008233466.tif 000003
【図２】
2008233466.tif 000004
【図３】
2008233466.tif 000005
【図４】
2008233466.tif 000006
【図５】
2008233466.tif 000007
【図６】
2008233466.tif 000008
【図７】
2008233466.tif 000009
【図８】
2008233466.tif 000010
【図９】
2008233466.tif 000011
【図１０】
2008233466.tif 000012
【図１１．１】
2008233466.tif 000013
【図１１．２】
2008233466.tif 000014
【図１１．３】
2008233466.tif 000015